(57)【要約】  本色度補正回路（１０）は、表示装置（１００）におけるバックライト（３０）の輝度を検出する輝度センサ（４０）と、第１の特性及び第２の特性を記憶した基準特性記憶部（４）と、入力されたバックライトの駆動値に基づいて基準特性記憶部（４）の第１の特性から基準輝度値を読み出し、その基準輝度値と輝度センサによって検出されたバックライト（３０）の輝度とから輝度低下量を求め、その輝度低下量に基づいて基準特性記憶部（４）の第２の特性から比の値を読み出すバックライト状態計算部（３）と、バックライト状態計算部（３）で読み出された比の値に基づいて表示装置（１００）に入力された表示信号の色度を補正する色度補正部（２）とを備えている。
2011048635.tif 000002
【特許請求の範囲】
【請求項１】
表示装置におけるバックライトの輝度を検出する輝度センサと、
前記バックライトの輝度の基準となる基準輝度値を前記バックライトの駆動値に対応づけて表す第１の特性と、前記表示装置による表示色を所定の表色系において数値化した場合の各数値と前記輝度センサによって検出される輝度に対応する値との比を前記基準輝度値からの輝度低下量に対応づけて表す第２の特性とを記憶した基準特性記憶部と、
入力された前記バックライトの駆動値に基づいて前記基準特性記憶部の前記第１の特性から前記基準輝度値を読み出し、その基準輝度値と前記輝度センサによって検出された前記バックライトの輝度とから前記輝度低下量を求め、その輝度低下量に基づいて前記基準特性記憶部の第２の特性から前記比の値を読み出すバックライト状態計算部と、
前記バックライト状態計算部で読み出された前記比の値に基づいて前記表示装置に入力された表示信号の色度を補正する色度補正部と
を備えることを特徴とする色度補正回路。
【請求項２】
前記第１の特性及び前記第２の特性が線形の特性であることを特徴とする請求項１に記載の色度補正回路。
【請求項３】
前記バックライトの駆動値が、パルス幅変調信号のオン・オフ時間比に対応する信号又は投入電力に対応する信号であることを特徴とする請求項１又は２に記載の色度補正回路。
【請求項４】
前記表示色が、ＲＧＢ表色系又はＸＹＺ表色系であることを特徴とする請求項１から３のいずれか１項に記載の色度補正回路。
【請求項５】
前記第１の特性が各前記表示装置に対応して設定され、
前記第２の特性が複数の前記表示装置に対応して設定されていることを特徴とする請求項１から４のいずれか１項に記載の色度補正回路。
【請求項６】
バックライトと、
請求項１から請求項５のいずれか１項に記載の色度補正回路と、
前記バックライトを光源とする液晶表示手段と
を備えることを特徴とする表示装置。
【請求項７】
輝度センサが、表示装置におけるバックライトの輝度を検出する過程と、
バックライト状態計算部が、入力された前記バックライトの駆動値に基づいて、前記バックライトの輝度の基準となる基準輝度値を前記バックライトの駆動値に対応づけて表し基準特性記憶部に記憶されている第１の特性から前記基準輝度値を読み出し、その基準輝度値と前記輝度センサによって検出された前記バックライトの輝度とから前記輝度低下量を求め、その輝度低下量に基づいて、前記表示装置による表示色を所定の表色系において数値化した場合の各数値と前記輝度センサによって検出される輝度に対応する値との比を前記基準輝度値からの輝度低下量に対応づけて表し前記基準特性記憶部に記憶されている第２の特性から前記比の値を読み出す過程と、
色度補正部が、前記バックライト状態計算部で読み出された前記比の値に基づいて前記表示装置に入力された表示信号の色度を補正する過程と
を備えることを特徴とする色度補正方法。
【発明の詳細な説明】
【技術分野】
【０００１】
本発明は、表示装置における色度変化を抑制するための色度補正回路、それを用いた表示装置、及び色度補正方法に関する。
【背景技術】
【０００２】
液晶ディスプレイなど表示装置に利用されるバックライトの色度は、一定ではなく、例えば周囲温度や使用時間によって変化する（図６、図７参照）。図６は、使用時間による色度（あるいは色温度）の変化を示す概念図であり、図７は、周囲温度による色度（あるいは色温度）の変化を示す概念図である。また、バックライトを駆動する指令値によっても色度は変化する。また、指令値の変化量に応じた色度の変化の量もバックライトごとに個体差がある。【０００３】
例えば、医用・グラフィックデザイン用途では、表示装置に高い安定度が求められる。そのため、バックライトの色度を補正するなどして、表示特性を一定に保つ色度補正回路が必要である。このような色度補正回路を構成する技術には、以下のようなものがある。【０００４】
特許文献１には、使用時間に基づいて色度を補正する色度補正回路が記載され、表示装置の色度が使用時間に基づいて変化することを利用し、積算カウンタ（タイマ）で検出された使用時間に従って色度を補正する手法が示されている。【０００５】
特許文献２には、温度センサの出力に基づいて色度を補正する色度補正回路が記載され、表示装置の色度が周囲温度に基づいて変化することを利用し、検出された周囲温度に従って色度を補正する手法が示されている。【０００６】
特許文献３には、カラーセンサを利用してバックライト色度を検出・補正する色度補正回路が記載され、バックライトのＲＧＢ（赤緑青）出力光レベルをＲＧＢ各色の３つのセンサを用いて検出し、検出値に基づいて、所定の輝度になるようにバックライト電流を制御するとともに、所定の色度になるように液晶パネルの表示信号を制御する手法が示されている。【０００７】
特許文献４には、バックライト光（白色光）の輝度を検出する白色センサとバックライト光に含まれる複数色（ＲＧＢ）のうち少なくとも一色の輝度を検出するカラーセンサとを使用して、バックライト光のホワイトバランスの経年変化を補償する色度補正回路が記載されている。また、特許文献４には、異なる時期の輝度測定値から色輝度の白色輝度に対する割合（色輝度成分）の変化率を求めることで液晶パネルの表示信号を補正する手法が示されている。
【先行技術文献】
【特許文献】
【０００８】
【特許文献１】特開２００７−１５６１５７号公報
【特許文献２】特開２００７−０２８３３３号公報
【特許文献３】特開２００８−１１６８５０号公報
【特許文献４】再公表特許第ＷＯ２００５／０５０６１３号公報
【発明の概要】
【発明が解決しようとする課題】
【０００９】
しかしながら、特許文献１に記載されているような使用時間に基づいて色度を補正する手法では、バックライト駆動値や周囲温度による色度変化を補正できない。また使用時間が同一でも色度変化量は個体差があるため、本手法では色度を一定に保つことはできない。【００１０】
また、特許文献２に記載されているような温度センサに基づいて色度を補正する手法では、個体差や使用時間を反映できないため色度を一定に保つことはできない。【００１１】
また、特許文献３や特許文献４に記載されているようなカラーセンサを利用してバックライト色度を検出・補正する手法では、原理的にはバックライトの色度を直接検出できるが、以下の誤差要因により表示装置の色度を一定に保つことは困難である。すなわち、カラーセンサはＲＧＢ光源に基づく定期的な校正が必要である。しかしバックライトセンサとする場合、光源が通常は白色のみのため校正が困難である。【００１２】
また、表示装置の内部温度は０〜６０℃程度まで変化する。ここでセンサ間（例えばＲ、Ｇ、Ｂ）の温度特性ばらつきによる出力差が色度変化として誤検出される。また、カラーフィルタ部が劣化（有機色素や樹脂のため退色、黄変）し、センサ特性が変化しやすい。また、上記の特性が良好なカラーセンサは、カウンタ（タイマ）や温度センサ、輝度センサなどに比べサイズが大きく、かつ高価である。【００１３】
本発明は、上記の事情を考慮してなされたものであり、上記の課題を解決し、液晶ディスプレイに代表される表示装置の色度変化を単純かつ高精度に抑制する色度補正回路、表示装置、及び色度補正方法を提供することを目的とする。
【課題を解決するための手段】
【００１４】
上記課題を解決するため、本発明は、表示装置におけるバックライトの輝度を検出する輝度センサと、前記バックライトの輝度の基準となる基準輝度値を前記バックライトの駆動値に対応づけて表す第１の特性と、前記表示装置による表示色を所定の表色系において数値化した場合の各数値と前記輝度センサによって検出される輝度に対応する値との比を前記基準輝度値からの輝度低下量に対応づけて表す第２の特性とを記憶した基準特性記憶部と、入力された前記バックライトの駆動値に基づいて前記基準特性記憶部の前記第１の特性から前記基準輝度値を読み出し、その基準輝度値と前記輝度センサによって検出された前記バックライトの輝度とから前記輝度低下量を求め、その輝度低下量に基づいて前記基準特性記憶部の第２の特性から前記比の値を読み出すバックライト状態計算部と、前記バックライト状態計算部で読み出された前記比の値に基づいて前記表示装置に入力された表示信号の色度を補正する色度補正部とを備えることを特徴とする。
【発明の効果】
【００１５】
本発明によれば、カラーセンサを使用せずに、予めバックライトの駆動値や輝度の低下量に対応づけて記憶された表示装置の表示特性と、輝度センサによって検出されるバックライトの輝度とに基づいて色度変化を推定するので、液晶ディスプレイに代表される表示装置の色度変化を単純かつ高精度に抑制することができる。
【図面の簡単な説明】
【００１６】
【図１】本発明の実施形態の構成を示すブロック図である。
【図２】表示装置の一般的な輝度寿命特性を示す説明図である。
【図３】図２の輝度寿命特性から得られるＲ／Ｇ／Ｂ輝度寿命特性を示す説明図である。
【図４】正規化輝度に対するＲＧＢ比を示す説明図である。
【図５】バックライト輝度検出値とバックライト駆動値から輝度低下量を算出する概要を示す説明図である。
【図６】使用時間による表示装置の色度変化を示す説明図である。
【図７】周囲温度による表示装置の色度変化を示す説明図である。
【発明を実施するための形態】
【００１７】
以下、図面を参照して本発明の実施の形態について説明する。図１は、本発明の一実施形態としての色度補正回路１０、及びそれを用いた表示装置１００の構成例を示すブロック図である。図１において、表示装置１００は、色度補正回路１０、表示部２０、バックライト（以下、ＢＬとも表記する）３０、輝度センサ４０、及び白点色度設定部５０を備えて構成されている。なお、図１においては、表示装置１００内に、本発明が特徴とする構成である色度補正回路１０の入出力に係る構成のみを示している。すなわち、表示装置１００は、上記のほかに、例えば、バックライト３０の駆動回路、各部に電力を供給するための電源回路、利用者が各種設定を行うための操作子や利用者に情報を表示するための信号を発生する信号発生回路や、各部を制御する制御回路等の構成を備えている。
【００１８】
色度補正回路１０は、ＢＬ色度補正部１、色度補正部２、ＢＬ状態計算部３、および基準特性記憶部４から構成されている。この色度補正回路１０は、表示装置１００に接続されているパーソナルコンピュータ、ビデオ機器などの映像出力機器２００から入力された映像信号に対して色度補正を行い、色度補正された補正映像信号を表示部２０に対して出力する。表示部２０は、バックライト３０を光源として液晶を用いた表示を行う液晶表示手段である。本実施形態において、表示部２０は、ＬＣＤ（液晶ディスプレイ）、ＰＪ（プロジェクタ）等の透過型液晶ディスプレイ（透過型液晶パネルとも呼ばれる）を用いて構成されていて、色度補正回路１０から出力された補正映像信号に基づいて映像表示を行う。
【００１９】
バックライト３０は、表示部２０の光源であり、表示部２０の背面に設けられている。また、バックライト３０は、バックライト３０の駆動状態を示すバックライト駆動値信号をＢＬ状態計算部３に対して出力する。バックライト駆動値信号は、バックライト３０がＰＷＭ（パルス幅変調）駆動される場合に、そのＤｕｔｙ（デューティ；パルス幅変調信号のオン・オフ時間比（パルス幅のオン・オフ時間の合計に対するオン時間の比））を表す信号とする。あるいは、バックライト駆動値信号は、バックライト３０に対する投入電力を表す値などとしてもよい。
【００２０】
輝度センサ４０は、バックライト３０の出力白色光の輝度値（白色輝度値）を検出して、バックライト輝度値を示す信号をＢＬ状態計算部３へ出力する。白点色度設定部５０は、利用者による所定の操作子に対する操作に応じて設定された白点色度の設定値を表す白点色度設定値信号をＢＬ色度補正部１に対して出力する。
【００２１】
図１の色度補正回路１０は、マイクロコンピュータ等のコンピュータとメモリ、入出力インターフェース回路等のコンピュータの周辺回路とから構成することができ、その場合に、コンピュータによってメモリに格納されている所定のプログラムを実行させることで動作する。あるいは、色度補正回路１０は、各種ロジック等の回路の組み合わせからなる集積回路として構成することもできる。
【００２２】
ＢＬ色度補正部１は、利用者によって白点色度設定部５０を用いて設定された表示部２０（およびバックライト３０）による表示における白点色度の設定値、およびＢＬ状態計算部３によって基準特性記憶部４から読み出されたＲＧＢ比を受信して色度補正値を算出し、色度補正部２に対して出力する。
【００２３】
色度補正部２は、映像出力機器２００から入力された映像信号に対して、ＢＬ色度補正部１から入力された色度補正値を用いた色度補正を行い、補正映像信号を求めて出力する。
【００２４】
ＢＬ状態計算部３は、バックライト３０から入力されたバックライト駆動値に基づき、基準特性記憶部４からそのバックライト駆動値に対応する基準輝度値を読み出す。ここで、基準輝度値とは、製品出荷前に設定された当該表示装置１００のバックライト３０の輝度についての基準値（あるいは初期値）である。この基準輝度値は、各バックライト駆動値（あるいは所定のバックライト駆動値の範囲毎）に対応する輝度センサ４０から出力されるバックライト輝度値の検出値に対応するように設定された値である。あるいは、基準輝度値は、バックライト駆動値と基準輝度値の関係を表す数式の形で基準特性記憶部４に記憶するようにしてもよい。ＢＬ状態計算部３は、輝度センサ４０から入力されたバックライト輝度値に基づき、それに対応するようにして基準特性記憶部４から読み出した基準輝度値からの輝度低下量を求める。そして、ＢＬ状態計算部３は、基準輝度値を「１」に正規化した場合の基準輝度値からの輝度低下量（＝１−輝度低下量）の値を算出する。ここで、（１−輝度低下量）を正規化輝度とする。ただし、輝度低下量は、基準輝度値との差分に限らず、輝度センサ４０から入力されたバックライト輝度値と基準輝度値との比の値として求めるようにしてもよい。
【００２５】
さらに、ＢＬ状態計算部３は、算出した正規化輝度に対応するＲＧＢ比を基準特性記憶部４から読み出してＢＬ色度補正部１へ出力する。ここで、ＲＧＢ比とは、バックライト輝度値ＷとＲＧＢ各色の輝度値の比＝Ｒ／Ｗ、Ｇ／Ｗ、Ｂ／Ｗを意味し、かつ、正規化輝度が「１」の場合にＲＧＢ各色でＲ／Ｗ、Ｇ／Ｗ、Ｂ／Ｗが同一値となるように設定したものである（図４参照）。このＲＧＢ比は、製品開発時等に設定された当該表示装置１００の表示特性に係る基準値（あるいは初期値）であり、正規化輝度に対応するようにして設定されている。なお、ＲＧＢ比は、表示装置１００による表示色をＲＧＢ表色系において数値化した場合の各数値Ｒ、Ｇ、Ｂと、バックライト輝度値Ｗとの比を、基準輝度値からの輝度低下量に対応づけて表す特性であるが、この特性は、表示装置１００による表示色を他の所定の表色系において数値化した場合の各数値と輝度センサ４０によって検出される輝度に対応する値との比を基準輝度値からの輝度低下量に対応づけて表すほかの特性に代えることも可能である。例えばＸＹＺ表色系における３刺激値ＸＹＺをＲＧＢ値に代えて用いることなどができる。
【００２６】
基準特性記憶部４には、バックライト駆動値に対応づけられた基準輝度値と、正規化輝度に対応づけられたＲＧＢ比の値とを表す情報が記憶されている。すなわち、基準特性記憶部４は、バックライト３０の輝度の基準となる基準輝度値をバックライト駆動値に対応づけて表す特性と、表示装置１００による表示色を所定の表色系（この場合はＲＧＢ表色系）において数値化した場合の各数値（ＲＧＢ）と輝度センサ４０によって検出される輝度に対応する値との比を基準輝度値からの輝度低下量に対応づけて表す特性とを記憶している。なお、基準輝度値に係る上記の特性は、比較的短時間に測定可能であり、表示装置１００の１台ごとに対応して設定し、上記の比に係る特性は、長時間の特性変化によるものであるから、複数の表示装置１００に対応して共通に設定することが望ましい。
【００２７】
次に、図１の色度補正回路１０及び表示装置１００の実施形態における、表示部２０の動作時に、本発明の特徴であるバックライト輝度値から色度補正値を求める手順について説明する。
【００２８】
以下に述べるＲＧＢ比（またはＸＹＺ値でもよい）は、予め製品開発時などに設定され、基準特性記憶部４に記憶されている。また、基準輝度値は予め工場出荷時などに表示装置１００ごとに設定され、基準特性記憶部４に記憶されている。
【００２９】
まず、ＢＬ状態計算部３は、バックライト３０から現在のバックライト駆動値を受信し、そのバックライト駆動値に対応する基準輝度値を基準特性記憶部４から読み出す。すなわち、基準輝度値は、基準特性記憶部４に記憶されている図５に実線で示すようなバックライト駆動値（横軸）とバックライト輝度（縦軸）との関係として設定されている基準輝度値の設定値（特性）から、バックライト駆動値に対応して求められる。なお、バックライト駆動値とバックライト輝度との関係は、通常、図５に示すように、線形の特性として得ることができる。
【００３０】
次に、ＢＬ状態計算部３は、輝度センサ４０から現在のバックライト輝度値を受信し、基準輝度値からの輝度低下量を計算する。例えば、ＢＬ状態計算部３において、現在のバックライト駆動値「Ａ」と、図５に黒丸で検出値として示すようなバックライト輝度値が得られたとする。この場合、ＢＬ状態計算部３は、現在のバックライト駆動値「Ａ」に対応する基準輝度値と、現在のバックライト輝度値との差分を正規化した値を、輝度低下量として算出する。図５の例では、基準輝度値「１００」に対して、バックライト輝度値が「７０」となっているので、輝度低下量は、（１００−７０）÷１００＝３０％である。
【００３１】
次に、ＢＬ状態計算部３は、（１−輝度低下量）の計算によって正規化輝度を求める。ここで、輝度低下量は、上記のように基準輝度値からの低下割合を示す値である。上記の例では、正規化輝度＝（１−３０％）＝（１−０．３）＝０．７となる。
【００３２】
次に、ＢＬ状態計算部３は、求めた正規化輝度に対応するＲＧＢ比を基準特性記憶部４から読み出し、ＢＬ色度補正部１に出力する。すなわち、ＢＬ状態計算部３は、輝度低下量に基づいて、正規化輝度を算出し、算出した正規化輝度に対応するＲＧＢ比の値を、基準特性記憶部４に記憶されている特性の情報から読み出して、ＢＬ色度補正部１に出力する。図４は、正規化輝度とＲＧＢ比との対応関係の一例を示す図である。図４では、正規化輝度＝「１」の輝度比を基準として、正規化輝度が低下するほど、一点鎖線で示したＲ値とバックライト輝度値Ｗの比Ｒ／Ｗが増加し、破線で示したＧ値とバックライト輝度値Ｗの比Ｇ／Ｗが減少し、二点鎖線で示したＢ値とバックライト輝度値Ｗの比Ｂ／Ｗがより大きく減少している。
また、ＲＧＢ比の各特性は、通常、図４に示すように、線形の特性として設定することができる。上記の例では、正規化輝度＝「０．７」に対応する図中丸印で示したＲＧＢ比の値Ｒ／Ｗ、Ｇ／Ｗ、Ｂ／Ｗがそれぞれ基準特性記憶部４から読み出され、ＢＬ色度補正部１に出力される。
【００３３】
次に、ＢＬ色度補正部１は受信したＲＧＢ比と、利用者が設定した白点色度とを基に色度補正値を計算し、色度補正部２に設定する。すなわち、ＢＬ色度補正部１は、ＲＧＢ比から現在の色度を計算し、これを用いて利用者が設定した白点色度に対応するための色度補正値を計算して、映像信号に適用すべき色度補正値として色度補正部２に対して出力する。なお、この計算は、一般に公知の方法により行えるので、その詳細な説明を省略する。
【００３４】
次に、色度補正部２は、ＢＬ色度補正部１が算出した色度補正値に従って乗算等の手法で映像信号を補正し、補正した映像信号を表示部２０に出力する。例えば、色度補正部２は、入力値が映像信号（表示信号）の示す値であり、出力値が色度補正値により補正された値の信号を出力する変換テーブルを備え、当該変換テーブルにより入力される映像信号の補正値を順次読み出して、表示部２０に出力する。
【００３５】
なお、予め基準特性記憶部４に記憶するＲＧＢ比は以下の手順で求めることができる。
【００３６】
例えば、商品開発時などに測定される表示装置１００の輝度寿命特性（図２）に対して、以下のような色変換Ｍａｔｒｉｘ（マトリックス）を適用すると、Ｒ／Ｇ／Ｂそれぞれの輝度寿命特性が得られる（図３）。
【００３７】
【数１】
2011048635.tif 000003
【００３８】
なお、図２は、横軸を使用時間、縦軸をＣＩＥ（国際照明委員会）１９３１標準表色系（ＸＹＺ表色系）における使用時間「０」での初期値を「１」とした場合の３刺激値ＸＹＺの変化を示す特性図である。一点鎖線がＸの変化、実線がＹの変化、破線がＺの変化を示している。また、図３は、横軸を使用時間、縦軸を使用時間「０」での初期値を「１」とした場合のＲＧＢ値Ｒ、Ｇ、Ｂとバックライト輝度値Ｗの変化を示す特性図である。一点鎖線がＲの変化、実線がＷの変化、破線がＧの変化、二点鎖線がＢの変化を示している。図３のＷ特性は図２のＹ値に対応している。液晶ディスプレイは長期使用後も色域がほぼ一定のため、色変換Ｍａｔｒｉｘは時間に対して固定値としてよい。
【００３９】
次に図３の時間軸を消去するため、バックライト輝度値ＷでＲ、Ｇ、Ｂ値をそれぞれ除算することで無次元化し、バックライト輝度値Ｗ（ここでは正規化輝度）を横軸として示したものが図４である。時間軸を消去したのは、使用時間では色度を推定できないためである。
【００４０】
図４のグラフは、指定された正規化輝度（Ｗｈｉｔｅ  Ｌｕｍｉｎａｎｃｅ）に対するＲ、Ｇ、Ｂそれぞれの輝度の比、すなわちＲＧＢ比を示している。このＲＧＢ比の特性を図１内の基準特性記憶部４に記憶する。ここで図２、図３のグラフはアレニウス則に代表される対数曲線となるが、図４のグラフはほぼ直線に変換されることが特徴である。すなわち表示装置１００のもつ非線形な色変化特性を、本実施形態ではより平易な線形変換処理で代替できることになる。
【００４１】
また周囲温度やバックライト駆動値に対する色度変化特性も輝度に対して同様の変化傾向を示すため、上記の方法により、周囲温度やバックライト駆動値の変化に応じた補正を行うことができる。
【００４２】
このように、本発明の色度補正回路１０及び表示装置１００は、図１に示すように色度補正回路１０を映像出力機器２００と表示部２０の間に接続し、色度補正回路１０によって、次の手順で映像信号を補正することで、周囲温度や使用時間、個体特性、バックライト駆動値などの要因で発生する表示部２０（あるいは表示装置１００）の色度変化を抑制する。
【００４３】
すなわち、色度補正回路１０は、表示部２０のバックライト３０のバックライト輝度を検出し、基準輝度値との差分（もしくは比）を計算する（図５の“低下量”を計算する）。この基準輝度値はバックライト駆動値（ＰＷＭ  Ｄｕｔｙや投入電力など）ごとに予め設定された輝度値である。そして、バックライト輝度と色度の相関を利用し、基準輝度値との差分から正規化輝度を求め、正規化輝度に対応するＲＧＢ比（図４のＲ／Ｗ、Ｇ／Ｗ、Ｂ／Ｗ）を求める。この場合の基準輝度値及びＲＧＢ比は直線で表される。そして、ＲＧＢ比から現在の色度を算出し、算出した色度に対応する色度補正値を映像信号（図１）に適用する。
【００４４】
これらの特徴によって、本発明の色度補正回路１０は、カラーセンサを使用せずに、予めバックライト駆動値や輝度低下量に対応づけて記憶された表示装置の表示特性と、輝度センサによって検出されるバックライトの輝度とに基づいて色度変化を推定することができるので、液晶ディスプレイに代表される表示部２０（およびバックライト３０）の色度変化を単純かつ高精度に抑制することができる。本手法はバックライト輝度からの色度推定に基づくため、従来のような色度変化を推定するための温度や使用時間の検出、カラーセンサは必要ない。このことにより本発明の色度補正回路１０によれば以下の効果が得られる。
【００４５】
（１）使用時間、周囲温度、バックライト駆動値、個体ばらつきなど多くの原因による色度変化を抑制することができる。
【００４６】
（２）センサとしてはバックライトの輝度を検出する輝度センサを用いるので、バックライトの輝度が測定できる位置に設置することができればよく、すなわち画面背面に設置でき、画面表示エリアを覆うことがなく、表示装置の利用を妨げずに色度の補正を行うことができる。
【００４７】
（３）輝度センサを設置する位置に制限がないので、センサを画面中央部に設置することにより、画面ムラの影響を受けずに色度の補正を行うことができる。
【００４８】
（４）輝度センサは単一センサのため校正が容易であり、カラーセンサで課題だった温度ドリフトや光学スペクトル特性による測色誤差を抑制でき、色度の補正性能を向上させることができる。
【００４９】
（５）輝度センサは経年劣化で色あせしやすいカラーフィルタがないため、輝度線差により検出されるバックライト輝度値の変化を考慮する必要がなく、色度の補正を安定して行うことができる。すなわち、経年変化による補正性能の低下を避けることができ、長期信頼性が高い。
【００５０】
（６）実測輝度特性に基づく補正を行うので、タイマ・温度センサ方式より精度が上げやすい。
【００５１】
（７）非線形な特性変化（図２）でもテーブル補正を必要とせず、線形処理（図４）で色度を検出できる。
【００５２】
（８）上記輝度センサや線形処理に基づくため、本発明はカラーセンサ方式より安価に実現できる
【００５３】
（９）結果として本発明の色度補正回路及び表示装置では、幅広い利用条件で色度変化を抑制し表示画質を改善できる。これは主に医用・グラフィックデザイン用途において好適である。
【００５４】
なお、本発明の実施の形態は、上記のものに限定されず以下のような変更を適宜行うことができる。すなわち、輝度センサの温度補正などのため、温度センサを追加しても良い。また、センサで検出するのはバックライト輝度ではなく、バックライト照度としてもよい。
【符号の説明】
【００５５】
１    ＢＬ（バックライト）色度補正部
２    色度補正部
３    ＢＬ状態計算部
４    基準特性記憶部
１０    色度補正回路
２０    表示部
３０    バックライト
４０    輝度センサ
５０    白点色度設定部
１００    表示装置
２００    映像出力機器
【図１】
2011048635.tif 000004
【図２】
2011048635.tif 000005
【図３】
2011048635.tif 000006
【図４】
2011048635.tif 000007
【図５】
2011048635.tif 000008
【図６】
2011048635.tif 000009
【図７】
2011048635.tif 000010
【国際調査報告】
2011048635.tif 000011
2011048635.tif 000012
2011048635.tif 000013
2011048635.tif 000014